(57)【要約】      （修正有）【課題】より簡便に、測定機器の測定結果を外部に送信するための技術を提供する。【解決手段】通信機能付加装置２０は、通信機能付加装置２０を測定機器に取り付ける取付部２１と、測定機器の表示部に表示されている測定結果を読み取る読取部２２と、読み取った測定結果を外部に送信する通信部２３と、を備えている。そして、測定機器に取り付けられた状態で、測定機器が表示する測定結果を読み取り、外部に送信することができる。【選択図】図２
2015204562.tif 000002
【特許請求の範囲】
【請求項１】
測定結果を表示する表示部を備えた測定機器に該測定結果の送信機能を付加する通信機能付加装置であって、
該通信機能付加装置を該測定機器に取り付ける取付手段と、
該取付手段によって該通信機能付加装置が該測定機器に取り付けられている状態で、該表示部に表示されている該測定結果を読み取る読取手段と、
該読取手段が読み取った該測定結果を外部に送信する送信手段と、を備えていることを特徴とする通信機能付加装置。
【請求項２】
上記測定機器が発する特定の音もしくは光または上記表示部における特定の表示態様を検知する検知手段と、
該検知手段が該特定の音、光または表示態様を検知したときに、上記読取手段に上記表示部に表示されている上記測定結果を読み取らせ、上記送信手段に当該測定結果を送信させる制御手段と、をさらに備えていることを特徴とする請求項１に記載の通信機能付加装置。
【請求項３】
上記読取手段は、上記取付手段によって上記通信機能付加装置が上記測定機器に取り付けられている状態で、上記表示部に表示されている上記測定結果を撮像する撮像手段を備えていることを特徴とする請求項１または２に記載の通信機能付加装置。
【請求項４】
上記撮像手段は、ラインセンサーであることを特徴とする請求項３に記載の通信機能付加装置。
【請求項５】
ミラーまたはハーフミラーを備え、
上記撮像手段は、該ミラーまたはハーフミラーに写った、上記表示部に表示されている上記測定結果の鏡像を撮像することを特徴とする請求項３に記載の通信機能付加装置。
【請求項６】
上記撮像手段は、レンズおよび撮像素子を備えており、該レンズおよび該撮像素子の少なくとも一方が回転するようになっていることを特徴とする請求項３に記載の通信機能付加装置。
【請求項７】
上記撮像素子が、上記通信機能付加装置の長手方向の端部に配置されていることを特徴とする請求項６に記載の通信機能付加装置。
【請求項８】
上記取付手段は、上記通信機能付加装置を上記測定機器に取り付けているとき、上記読取手段と上記表示部との間の空間を遮光するようになっており、
上記表示部に対して上記測定結果の読み取りのための光を照射する光源をさらに備えていることを特徴とする請求項１〜７の何れか一項に記載の通信機能付加装置。
【請求項９】
上記取付手段は、上記読取手段と上記表示部との間の空間に光を透過させるようになっていることを特徴とする請求項１〜７の何れか一項に記載の通信機能付加装置。
【請求項１０】
上記表示部に対して上記測定結果の読み取りのための光を照射する光源をさらに備えていることを特徴とする請求項９に記載の通信機能付加装置。
【請求項１１】
上記取付手段は、柔軟性および粘着性を有する部位を備えていることを特徴とする請求項１〜１０の何れか一項に記載の通信機能付加装置。
【請求項１２】
上記取付手段によって上記通信機能付加装置が上記測定機器に取り付けられている状態で、上記測定機器に対して電波を遮蔽する遮蔽部をさらに備えていることを特徴とする請求項１〜１１の何れか一項に記載の通信機能付加装置。
【請求項１３】
通信機能付加装置を、測定結果を表示する表示部を備えた測定機器に取り付ける取付ステップと、
該通信機能付加装置が該測定機器に取り付けられている状態で、該通信機能付加装置が、該表示部に表示されている該測定結果を読み取る読取ステップと、
該通信機能付加装置が、該読取ステップにおいて読み取った該測定結果を外部に送信する送信ステップと、を包含することを特徴とする通信方法。
【発明の詳細な説明】
【技術分野】
【０００１】
本発明は、測定機器の測定結果を外部に送信するための技術に関するものである。
【背景技術】
【０００２】
測定機器の測定結果を外部に送信するための技術として、特許文献１、２には、測定機器を撮像した画像から測定結果を読み取り、外部に送信する技術が記載されている。
【先行技術文献】
【特許文献】
【０００３】
【特許文献１】特開２０１３−１５２１９８号公報（２０１３年８月８日公開）
【特許文献２】特開平８−２１５１５１号公報（１９９６年８月２７日公開）
【発明の概要】
【発明が解決しようとする課題】
【０００４】
しかしながら、特許文献１に記載の技術では、デジタルビデオカメラ等を用いて測定機器を撮像した後に、撮像した画像を読取り装置に入力する必要がある。また、特許文献２に記載の技術では、測定結果が表示された測定機器を、読取り装置が設置されている場所まで搬送する必要がある。
【０００５】
本発明は、上記課題に鑑みてなされたものであり、より簡便に、測定機器の測定結果を外部に送信するための技術を提供することを主たる目的とする。
【課題を解決するための手段】
【０００６】
上記の課題を解決するために、本発明の態様１に係る通信機能付加装置は、測定結果を表示する表示部を備えた測定機器に該測定結果の送信機能を付加する通信機能付加装置であって、該通信機能付加装置を該測定機器に取り付ける取付手段と、該取付手段によって該通信機能付加装置が該測定機器に取り付けられている状態で、該表示部に表示されている該測定結果を読み取る読取手段と、該読取手段が読み取った該測定結果を外部に送信する送信手段と、を備えている。
【０００７】
上記の構成によれば、上記通信機能付加装置は、測定機器に取り付けるための取付手段を備えている。そして、上記通信機能付加装置は、測定機器に取り付けられた状態で、測定機器が表示する測定結果を読み取り、外部に送信することができる。これにより、上記通信機能付加装置を測定機器に取り付けることで、測定機器に通信機能を付加し、より簡便に、測定機器の測定結果を外部に送信することができる。
【０００８】
本発明の態様２に係る通信機能付加装置は、上記態様１において、上記測定機器が発する特定の音もしくは光または上記表示部における特定の表示態様を検知する検知手段と、該検知手段が該特定の音、光または表示態様を検知したときに、上記読取手段に上記表示部に表示されている上記測定結果を読み取らせ、上記送信手段に当該測定結果を送信させる制御手段と、をさらに備えていてもよい。
【０００９】
上記の構成によれば、上記通信機能付加装置は、測定機器が発する特定の音もしくは光または表示部における特定の表示態様を検知して、測定結果を読み取り、外部に送信することができる。これにより、特に操作せずに、適切な測定結果の読み取りおよび外部への送信を行うことができる。したがって、より簡便に、測定機器の適切な測定結果を外部に送信することができる。
【００１０】
本発明の態様３に係る通信機能付加装置は、上記態様１または２において、上記読取手段は、上記取付手段によって上記通信機能付加装置が上記測定機器に取り付けられている状態で、上記表示部に表示されている上記測定結果を撮像する撮像手段を備えていてもよい。
【００１１】
上記の構成によれば、測定機器の表示部に表示されている測定結果を撮像することにより、容易に測定結果を読み取ることができる。
【００１２】
本発明の態様４に係る通信機能付加装置は、上記態様３において、上記撮像手段は、ラインセンサーであってもよい。
【００１３】
上記の構成によれば、通信機能付加装置が測定機器に取り付けられ、撮像手段が表示部に近接している状態であっても、好適に表示部に表示されている測定結果を撮像することができる。
【００１４】
本発明の態様５に係る通信機能付加装置は、上記態様３において、ミラーまたはハーフミラーを備え、上記撮像手段は、該ミラーまたはハーフミラーに写った、上記表示部に表示されている上記測定結果の鏡像を撮像してもよい。
【００１５】
上記の構成によれば、撮像手段から表示部までの光の経路長を長くすることができる。そのため、通信機能付加装置が測定機器に取り付けられ、撮像手段が表示部に近接している状態であっても、好適に表示部に表示されている測定結果を撮像することができる。
【００１６】
本発明の態様６に係る通信機能付加装置は、上記態様３において、上記撮像手段は、レンズおよび撮像素子を備えており、該レンズおよび該撮像素子の少なくとも一方が回転するようになっていてもよい。
【００１７】
上記の構成によれば、レンズおよび撮像素子の少なくとも一方を回転させながら表示部の撮像を行うことにより、表示部の微小な領域毎に撮像を行うことができる。そのため、通信機能付加装置が測定機器に取り付けられ、撮像手段が表示部に近接している状態であっても、微小な領域毎に焦点を合わせればよいため、好適に表示部に表示されている測定結果を撮像することができる。
【００１８】
本発明の態様７に係る通信機能付加装置は、上記態様６において、上記撮像素子が、上記通信機能付加装置の長手方向の端部に配置されていてもよい。
【００１９】
上記の構成によれば、コンパクトな構成で表示部を撮像することができる。
【００２０】
本発明の態様８に係る通信機能付加装置は、上記態様１〜７において、上記取付手段は、上記通信機能付加装置を上記測定機器に取り付けているとき、上記読取手段と上記表示部との間の空間を遮光するようになっており、上記表示部に対して上記測定結果の読み取りのための光を照射する光源をさらに備えていてもよい。
【００２１】
上記の構成によれば、環境光を遮断し、内部の光源によって読み取りを行うことにより、安定した読み取りを実現することができる。
【００２２】
本発明の態様９に係る通信機能付加装置は、上記態様１〜７において、上記取付手段は、上記読取手段と上記表示部との間の空間に光を透過させるようになっていてもよい。
【００２３】
上記の構成によれば、環境光を利用して読み取りを行うことができる。
【００２４】
本発明の態様１０に係る通信機能付加装置は、上記態様９において、上記表示部に対して上記測定結果の読み取りのための光を照射する光源をさらに備えていてもよい。
【００２５】
上記の構成によれば、環境光および内部の光源を利用して読み取りを行うことができる。
【００２６】
本発明の態様１１に係る通信機能付加装置は、上記態様１〜１０において、上記取付手段は、柔軟性および粘着性を有する部位を備えていてもよい。
【００２７】
上記の構成によれば、測定機器表面の湾曲（曲面）に取付手段の形状を追従させて、通信機能付加装置を測定機器に好適に取り付けることができる。
【００２８】
本発明の態様１２に係る通信機能付加装置は、上記態様１〜１１において、上記取付手段によって上記通信機能付加装置が上記測定機器に取り付けられている状態で、上記測定機器に対して電波を遮蔽する遮蔽部をさらに備えていていてもよい。
【００２９】
上記の構成によれば、送信手段の放射する電波が、測定機器に悪影響を及ぼすことを抑制することができる。
【００３０】
本発明の態様１３に係る通信方法は、通信機能付加装置を、測定結果を表示する表示部を備えた測定機器に取り付ける取付ステップと、該通信機能付加装置が該測定機器に取り付けられている状態で、該通信機能付加装置が、該表示部に表示されている該測定結果を読み取る読取ステップと、該通信機能付加装置が、該読取ステップにおいて読み取った該測定結果を外部に送信する送信ステップと、を包含する。
【００３１】
上記の構成によれば、上記態様１と同等の効果を奏する。
【発明の効果】
【００３２】
本発明の一態様によれば、より簡便に、測定機器の測定結果を外部に送信するための技術を提供することができる。
【図面の簡単な説明】
【００３３】
【図１】本発明の一実施形態に係る通信機能付加装置の使用態様を説明するための図である。
【図２】本発明の一実施形態に係る通信機能付加装置の概略構成を説明するためのブロック図である。
【図３】本発明の一実施形態に係る通信機能付加装置の撮像部の構成を模式的に説明する斜視図である。
【図４】本発明の一実施形態に係る通信機能付加装置の撮像部の構成を模式的に説明する斜視図である。
【図５】本発明の一実施形態に係る通信機能付加装置の撮像部の構成を模式的に説明する斜視図である。
【図６】本発明の一実施形態に係る通信機能付加装置の撮像部の構成を模式的に説明する斜視図である。
【図７】本発明の一実施形態に係る通信機能付加装置の撮像部の構成を模式的に説明する斜視図である。
【発明を実施するための形態】
【００３４】
〔実施形態１〕
本発明に係る通信機能付加装置は、測定結果を表示する表示部を備えた測定機器に該測定結果の送信機能を付加する通信機能付加装置であって、該通信機能付加装置を該測定機器に取り付ける取付手段と、該取付手段によって該通信機能付加装置が該測定機器に取り付けられている状態で、該表示部に表示されている該測定結果を読み取る読取手段と、該読取手段が読み取った該測定結果を外部に送信する送信手段と、を備えている。上記通信機能付加装置は、測定機器に取り付けるための取付手段を備えている。そして、上記通信機能付加装置は、測定機器に取り付けられた状態で、測定機器が表示する測定結果を読み取り、外部に送信することができる。これにより、上記通信機能付加装置を測定機器に取り付けることで、測定機器に通信機能を付加し、より簡便に、測定機器の測定結果を外部に送信することができる。
【００３５】
別の観点からみれば、本発明に係る通信方法は、通信機能付加装置を、測定結果を表示する表示部を備えた測定機器に取り付ける取付ステップと、該通信機能付加装置が該測定機器に取り付けられている状態で、該通信機能付加装置が、該表示部に表示されている該測定結果を読み取る読取ステップと、該通信機能付加装置が、該読取ステップにおいて読み取った該測定結果を外部に送信する送信ステップと、を包含するものである。
【００３６】
これにより、通信機能を持たない既存の測定デバイス（体温計、血圧計等）の内部構造又は外部構造に変更を加えない形で、通信機能を付加することが出来る。よって、任意の既存の測定機器の構造を変更すること無く、外部装置との情報の連携が可能となる。また、測定機器の利用者が、通信機能を必要とする際に、測定機器の買い替え、置き換え等が不必要となる。
【００３７】
なお、本発明に係る通信機能付加装置は、測定機器に少なくとも送信機能を付加するものであればよく、受信機能を備えるものであってもよい。
【００３８】
図１は、本発明の一実施形態に係る通信機能付加装置２０の使用態様を説明するための図である。図１の（ａ）に示すように、通信機能付加装置２０は、測定結果を表示する表示部１１を備えた測定機器１０に取り付けることによって使用され、有線または無線の通信経路７０を介して接続されているＰＣ７１に、表示部１１から読み取った測定結果を送信するものであってもよい（この場合、通信機能付加装置２０は、ＰＣ７１の周辺機器として機能する）。また、通信機能付加装置２０は、有線または無線の通信経路７０を介して接続されているＰＣ７１から設定情報等を受信するようになっていてもよい。
【００３９】
また、図１の（ｂ）に示すように、通信機能付加装置２０は、測定結果を表示する表示部１１を備えた測定機器１０に取り付けることによって使用され、有線または無線の通信経路７２およびネットワーク７３を介して接続されているサーバ７４に、表示部１１から読み取った測定結果を送信するものであってもよい（この場合、通信機能付加装置２０は、サーバ機能を内蔵する）。また、通信機能付加装置２０は、有線または無線の通信経路７２およびネットワーク７３を介して接続されているサーバ７４から設定情報等を受信するようになっていてもよい。
【００４０】
すなわち、通信機能付加装置２０は、測定機器１０に測定結果の送信機能を付加するように機能し、更に、設定情報等を受信できる受信機能を備えている。
【００４１】
（測定機器）
本実施形態において、測定結果の送信機能を付加する対象となる測定機器１０は、測定結果を表示する表示部１１を備えた測定機器であれば特に限定されず、体重計、体温計、血圧計、握力計、血糖計等のバイタルデータを測定する測定機器や、秤、温湿度計等の物理量を測定する測定機器等に広く適用することができる。また、測定機器１０は、携帯機器であってもよいし、据え置き機器であってもよい。
【００４２】
表示部１１は、測定機器１０の測定結果を表示するものであれば特に限定されず、７セグメントディスプレイ、ＬＥＤインジケーター、液晶ディスプレイ等のデジタル的な表示を行うものであってもよいし、測定値に応じて移動する目盛りや指針等のアナログ的な表示を行うものであってもよい。
【００４３】
また、測定機器１０は、表示部１１に測定結果が表示されたことを、電子体温計のように音または光を発することによって知らせるようになっていてもよいし、体重計のように表示が変化しなくなったことをもって測定結果が表示されたとみなすものであってもよい。
【００４４】
（通信機能）
本実施形態において、測定機器１０に付加する通信機能は、特に限定されず、有線または無線の通信経路を介したものであり得、任意のネットワークを介して通信するものであってもよい。また、通信相手である外部の装置は、特に限定されず、送信する測定結果を利用（例えば、解析、蓄積、表示等）、または、通信機能付加装置２０に対して設定情報等を送信するものであれば特に限定されない。例えば、図１に示すように、測定機器１０に付加する通信機能は、有線または無線を介したＰＣまたは他の装置との間の通信機能であってもよいし、さらにネットワークを介したサーバまたは他の装置との間の通信機能であってもよい。
【００４５】
図２は、通信機能付加装置２０の概略構成を説明するためのブロック図である。図２に示すように、通信機能付加装置２０は、取付部（取付手段）２１、撮像部（読取手段、撮像手段）２２、通信部（通信手段）２３、主制御部２４、検知部（検知手段）２５および電源部２６を備えている。主制御部２４は、読取処理部（読取手段）２４０、通信処理部（送信手段）２４１、設定記憶部２４２および結果記憶部２４３を備えている。
【００４６】
（取付部）
取付部２１は、撮像部２２が測定機器１０の表示部１１に表示されている測定結果を読み取れるように（好ましくは、読取窓２３が表示部１１に対向するように）、通信機能付加装置２０を測定機器１０に取り付けるものであれば、特にその構造は限定されないが、例えば、次の（Ａ）〜（Ｅ）のうちの一つまたは複数種類の組み合わせを使用することができる：（Ａ）粘着性および柔軟性を有する素材（例えば、シリコン樹脂等）；（Ｂ）両面テープ、糊等の粘着材；（Ｃ）磁石；（Ｄ）ベルト；（Ｅ）測定機器１０を挿嵌可能な筒状または箱状の構造体。
【００４７】
特に、粘着性および柔軟性を有する素材を用いることにより、測定機器１０の表示部１１側の表面が曲面である（湾曲している）場合であっても、測定機器１０表面の湾曲（曲面）に取付部２１の形状を追従させることができる。これにより、粘着性を有する素材や、粘着材、磁石等を測定機器１０表面に密着させることができるため、通信機能付加装置２０を測定機器１０に好適に取り付けることができる。
【００４８】
また、一実施形態において、取付部２１は遮光性を有している。この場合、通信機能付加装置２０内には、測定結果の読取のための光を照射する光源が設けられていることが好ましい。他の実施形態において、取付部２１は透光性を有している。この場合、上記光源は省略してもよい。
【００４９】
（撮像部）
撮像部２２は、通信機能付加装置２０が測定機器１０に取り付けられ、読み取り手段が表示部１１に近接した状態において、表示部１１の表示を撮像し得るように構成されていればよく、その具体的な構成は特に限定されず、例えば、（構成例１）単眼レンズ＋撮像素子、（構成例２）ラインセンサー、（構成例３）（ハーフ）ミラー＋単眼レンズ＋撮像素子、（構成例４）固定レンズ＋（回転）移動撮像素子、（構成例５）固定撮像素子＋（回転）移動レンズ、ＭＥＭＳレンズ＋ＭＥＭＳ撮像素子等の構成を取ることができる。以下、構成例１〜５について、図３〜７を用いて詳細に説明する。
【００５０】
なお、図３〜７では、説明に必要な構成のみを記載し、その他の構成については省略している。また、構成例１〜５では、図３〜７に示すように、取付部２１は、測定機器１０に対向する面に両面テープ２１２が貼付された柔軟性部材２１１の中央部に撮像用窓２１０が設けられている構成である。撮像用窓２１０は、単なる穴であってもよいが、機構保護のための透明部材（例えば、透明ガラス、透明樹脂等）が装着されていてもよい。また、撮像のためのレンズが装着されていてもよい。
【００５１】
（構成例１）
図３は、構成例１における通信機能付加装置２０の撮像部２２の構成を模式的に説明する斜視図である。本構成例では、撮像部２２は、撮像素子２２０およびレンズ２２１から構成されており、通信機能付加装置２０は、光源２２２を備えている。
【００５２】
撮像素子２２０およびレンズ２２１は、撮像用窓２１０（および測定機器１０の表示部１１）に対向する位置に配置されており、表示部１１の表示を撮像可能なようになっている。レンズ２２１は、撮像範囲に対して十分な対角角度を持ち、被写界深度を確保するために十分なＦ値を有するレンズであることが好ましい。これにより、焦点距離を短くし、被写界深度を確保することができ、撮像部２２が表示部１１に近接している状態であっても、好適に表示部１１に表示されている測定結果を撮像することができる。
【００５３】
なお、取付部２１の柔軟性部材２１１が遮光性を有しており、撮像部２２と表示部１１との間の空間を遮光するようになっている場合には、表示部１１に対して測定結果の読み取りのための光を照射する光源２２２を備えることにより、安定した読み取りを行うことができる。
【００５４】
一方、取付部２１の柔軟性部材２１１が遮光性を有しておらず、撮像部２２と表示部１１との間の空間に光を透過させるようになっている場合には、環境光（外光）を利用して読み取りを行うことができる。そのため、この場合には、光源２２２を省略することもできる。また、光源２２２を省略せずに、光源２２２の光と環境光との両方を利用してもよい。
【００５５】
（構成例２）
図４は、構成例２における通信機能付加装置２０の撮像部２２の構成を模式的に説明する斜視図である。本構成例では、撮像部２２は、ラインセンサー２２３から構成されており、通信機能付加装置２０は、線光源２２４およびガイドレール２２５を備えている。
【００５６】
ラインセンサー２２３および線光源２２４がガイドレール２２５に沿って移動しつつ、表示部１１の部分領域を撮像することにより、撮像部２２が表示部１１に近接している状態であっても、好適に表示部１１に表示されている測定結果を撮像することができる。
【００５７】
なお、本構成例では、取付部２１の柔軟性部材２１１は遮光性を有し、撮像部２２と表示部１１との間の空間を遮光するようになっていることが好ましい。
【００５８】
（構成例３）
図５は、構成例３における通信機能付加装置２０の撮像部２２の構成を模式的に説明する斜視図である。本構成例では、撮像部２２は、撮像素子２２０およびレンズ２２１から構成されており、通信機能付加装置２０は、光源２２２およびミラー２２６を備えている。
【００５９】
撮像素子２２０およびレンズ２２１は、ミラー２２６に写った、表示部１１に表示されている測定結果の鏡像を撮像する。これにより、撮像部２２から表示部１１までの光の経路長を長くすることができ、撮像部２２が表示部１１に近接している状態であっても、好適に表示部１１に表示されている測定結果を撮像することができる。
【００６０】
なお、ミラー２２６の代わりに、ハーフミラーを用いてもよい。この場合、例え、取付部２１が遮光されていても、光源２２２を省略することもできる。また、取付部２１が透光性を有する場合にも、光源２２２を省略することができる。
【００６１】
（構成例４）
図６は、構成例４における通信機能付加装置２０の撮像部２２の構成を模式的に説明する斜視図である。本構成例では、撮像部２２は、撮像素子２２０およびレンズ２２７から構成されており、通信機能付加装置２０は、光源２２２を備えている。
【００６２】
本構成例では、レンズ２２７は固定されており、撮像素子２２０が回転するように構成されている。このように、撮像素子２２０を回転させながら表示部１１の撮像を行うことにより、表示部１１の微小な領域毎に撮像を行うことができる。撮像部２２が表示部１１に近接している状態であっても、微小な領域毎に焦点を合わせればよいため、好適に表示部１１に表示されている測定結果を撮像することができる。
【００６３】
なお、上記構成例と同様、取付部２１が遮光されている場合には、光源２２２を備えることが好ましいが、取付部２１が透光性を有する場合には、光源２２２を省略してもよい。
【００６４】
（構成例５）
図７は、構成例５における通信機能付加装置２０の撮像部２２の構成を模式的に説明する斜視図である。本構成例では、撮像部２２は、撮像素子２２０およびレンズ２２７から構成されており、通信機能付加装置２０は、光源２２２を備えている。
【００６５】
本構成例では、撮像素子２２０は固定されており、レンズ２２７が回転するように構成されている。このように、レンズ２２７を回転させながら表示部１１の撮像を行うことにより、表示部１１の微小な領域毎に撮像を行うことができる。撮像部２２が表示部１１に近接している状態であっても、微小な領域毎に焦点を合わせればよいため、好適に表示部１１に表示されている測定結果を撮像することができる。
【００６６】
なお、上記構成例と同様、取付部２１が遮光されている場合には、光源２２２を備えることが好ましいが、取付部２１が透光性を有する場合には、光源２２２を省略してもよい。
【００６７】
なお、撮像素子２２０およびレンズ２２７は、通信機能付加装置２０の長手方向の端部に配置されていてもよい。これにより、コンパクトな構成で表示部１１を撮像することができる。
【００６８】
なお、本発明に係る通信機能付加装置は、測定機器１０の測定結果を読み取ることができる読み取り手段さえ備えていればよく、撮像部２２はその実現手段の一つである。例えば、一実施形態において、測定機器１０の表示部１１が７セグメントディスプレイである場合に、通信機能付加装置２０は、７セグメントディスプレイの各セグメントが発光しているか否かを検知するセンサをセグメント毎に備えている構成であってもよい。
【００６９】
（通信部）
通信部２３は、無線（Ｗｉ−Ｆｉ（登録商標）、Ｂｌｕｅｔｏｏｔｈ（登録商標）等）、有線（ＵＳＢ、Ｅｔｈｅｒ、シリアル等）の任意の通信経路により、外部の装置、ネットワーク等と通信（特に、送信）を行うものであればよい。
【００７０】
（主制御部）
読取処理部２４０は、設定記憶部２４２に記憶されている設定情報に基づいて、撮像部２２を制御して、測定機器１０の測定結果を読み取る。通信処理部２４１は、設定記憶部２４２に記憶されている設定情報に基づいて、通信部２３を制御して、読取処理部２４０が読み取った測定結果を外部に送信処理する。通信処理部２４１が外部に送信処理する情報（測定機器１０の測定結果）は、撮像部２２が撮像した撮像画像そのものであってもよいし、読取処理部２４０が、公知のＯＣＲ技術等を用いて当該撮像画像を解析した結果の数値データ等であってもよい。
【００７１】
（読み取りのトリガー）
読取処理部２４０が、首尾よく、測定機器１０による測定が終了した後の測定結果を読み取ることができるよう、主制御部２４は、例えば、以下のような制御を行ってもよい。
【００７２】
一例（制御例１）において、主制御部２４は、検知部２５が測定機器１０が発する特定の音（例えば、測定終了を伝えるビープ音等）または特定の光（例えば、測定終了を伝えるＬＥＤ等）を検知したときに、これらをトリガーとして、読取処理部２４０に上記測定結果を読み取らせ、通信処理部２４１に当該測定結果を送信させてもよい。これにより、読取処理部２４０は、測定機器１０が発する測定終了のサインが検知されてから測定結果を読み取ることができるため、首尾よく、測定機器１０による測定が終了した後の測定結果を読み取ることができる。
【００７３】
また、他の例（制御例２）において、読取処理部２４０は、撮像部２２に継続的に表示部１１を撮像させ、撮像部２２が撮像した撮像画像を監視していてもよい。そして、主制御部２４は、読取処理部２４０が表示部１１における測定終了を示す特定の表示態様（例えば、「表示部１１に一定時間以上同一の表示がなされている」など）を検知したときに、これをトリガーとして、読取処理部２４０に上記測定結果を読み取らせ、通信処理部２４１に当該測定結果を送信させてもよい。これにより、読取処理部２４０は、表示部１１における測定終了を示す特定の表示態様が検知されてから測定結果を読み取ることができるため、首尾よく、測定機器１０による測定が終了した後の測定結果を読み取ることができる。なお、この場合、読取処理部２４０は、表示部１１における上記特定の表示態様を検知する検知手段として機能する。
【００７４】
また、さらに他の例（制御例３）において、主制御部２４は、継続的に、読取処理部２４０に上記測定結果を読み取らせ、通信処理部２４１に当該測定結果を送信させてもよい。この場合、受信側（例えば、ＰＣ７１等）が、受信したデータが、測定機器１０による測定が終了した後の測定結果を示しているか否かを判断する。判断手法は、例えば、受信したデータが一定時間以上同一である場合に、測定機器１０による測定が終了した後の測定結果を示していると判断してもよい。
【００７５】
また、なおさらに他の例（制御例４）において、主制御部２４は、通信機能付加装置２０に設けられた図示しないボタン等が押されたときに、これをトリガーとして、読取処理部２４０に上記測定結果を読み取らせ、通信処理部２４１に当該測定結果を送信させてもよい。
【００７６】
特に、制御例１〜３の構成を取ることにより、ユーザは特に操作せずに、測定結果の読み取りおよび外部への送信を行うことができる。したがって、より簡便に、測定機器の測定結果を外部に送信することができる。
【００７７】
なお、読取処理部２４０は、撮像部２２に設けられた光源２２２の制御を行ってもよい。例えば、実際に撮像を行うタイミングのみ光源２２２を動作させるように制御してもよい。また、取付部２１が透光性を有している場合に、センサ等で環境光を検出し、周辺環境が十分に明るい場合は、光源２２２をオフにし、環境光が少ない場合に光源２２２をオンにする制御を行ってもよい。
【００７８】
また、通信処理部２４１は、外部の装置から受信した設定情報に基づいて、設定記憶部２４２に記憶されている設定情報を変更してもよい。また、通信処理部２４１は、外部の装置から受信した要求に基づいて、過去に結果記憶部２４３に蓄積した結果データを再度送信してもよい。
【００７９】
（検知部）
検知部２５は、測定機器１０が発する特定の音、光等を検知するようになっており、公知のセンサ類を用いることができる。なお、主制御部２４が、上記制御例１の制御を行わない場合には、検知部２５は省略してもよい。
【００８０】
（電源部）
電源部２６は、通信機能付加装置２０の駆動に必要な電力を供給し得るように適宜構成すればよい。例えば、外部との通信経路が、電力供給を兼ねる信号線（例えば、ＵＳＢ、ＰｏＥ等）であれば、電源部２６は、当該信号線からの電力を各部に供給するように構成されていればよい。また、外部との通信経路が無線である場合、有線であっても、電力供給ができない信号線である場合には、電源部２６は、内蔵電源（例えば、電池）を備え、内部電源からの電力を各部に供給するように構成されていてればよい。
【００８１】
（その他）
通信機能付加装置２０は、その他の構成を適宜備えていてもよい。例えば、一実施形態において、通信機能付加装置２０は、取付部２１によって通信機能付加装置２０が測定機器１０に取り付けられている状態で、測定機器１０に対して電波を遮蔽する遮蔽部（図示せず）をさらに備えていていてもよい。遮蔽部は、例えば、通信部２３と、取付部２１との間に配置された電磁シールドであり得る。このような構成により、特に通信部２３が無線通信を行う場合に、通信部２３の放射する電波が、測定機器１０に悪影響を及ぼすこと（例えば、測定機器１０の測定値に、電波に起因するノイズが影響すること等）を抑制することができる。
【００８２】
また、通信機能付加装置２０のサイズは、送信機能の付加対象である測定機器１０（の表示部１１）のサイズに応じて適宜設定することが好ましい。
【００８３】
〔ソフトウェアによる実現例〕
通信機能付加装置２０の制御ブロック（特に読取処理部２４０および通信処理部２４１）は、集積回路（ＩＣチップ）等に形成された論理回路（ハードウェア）によって実現してもよいし、ＣＰＵ（Central Processing Unit）を用いてソフトウェアによって実現してもよい。
【００８４】
後者の場合、通信機能付加装置２０は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００８５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００８６】
各種測定機器の関連製品の製造分野において利用可能である。
【符号の説明】
【００８７】
１０      測定機器
１１      表示部
２０      通信機能付加装置
２１      取付部（取付手段）
２２      撮像部（読取手段、撮像手段）
２３      通信部（送信手段）
２４      主制御部
２５      検知部（検知手段）
２２０    撮像素子
２２１    レンズ
２２２    光源
２２３    ラインセンサー
２２４    線光源（光源）
２２６    ミラー
２２７    レンズ
２４０    読取処理部（読取手段、検知手段）
２４１    通信処理部（送信手段）
【図１】
2015204562.tif 000003
【図２】
2015204562.tif 000004
【図３】
2015204562.tif 000005
【図４】
2015204562.tif 000006
【図５】
2015204562.tif 000007
【図６】
2015204562.tif 000008
【図７】
2015204562.tif 000009